(57)【要約】【課題】  実際の建物構造と関連させた磁気シールド構造を提供する。【解決手段】  下床スラブ５０の構造材として設けたデッキプレート５２上にアングル２３を磁気的に接合する。アングル２３のフランジ２１は、床スラブコンクリート５３の上に突設する程度に長く設定しておく。床スラブコンクリート５３の打設後、下床スラブ５０が形成された後で、軽量鉄骨下地６３等に設けた磁気シールド材３０ｃに、アングル２３のフランジ２１を接合する。このようにして建物の構成材を利用することで施工コスト等の面で安価な磁気シールド構造を提供することができる。【選択図】  図７
2008223481.tif 000002
【特許請求の範囲】
【請求項１】
面が相対する複数の磁気シールド面を構成する磁気シールド材と、前記複数の磁気シールド面に交差方向に設けられる別の磁気シールド面を構成する磁気シールド材とが磁気的に接合され、送電線から建物内へ浸入する磁場を低減する磁気シールド構造であって、
互いに磁気的に独立した前記磁気シールド材は、接合される磁気シールド材の磁気シールド性能以上の磁気シールド性能を有する磁気シールド接合部材を介して磁気的に接合され、
前記面が相対する複数の磁気シールド面を構成する磁気シールド材として、床スラブの構築に際して用いられたデッキプレートあるいは鋼製捨て型枠の少なくともいずれかが使用され、
前記複数の磁気シールド面に交差方向に設けられる別の磁気シールド面を構成する磁気シールド材は、前記床スラブを貫通する前記磁気シールド接合部材を介して、前記デッキプレートあるいは鋼製捨て型枠に接合されていることを特徴とする磁気シールド構造。
【請求項２】
請求項１記載の磁気シールド構造において、
前記複数の磁気シールド面に交差方向に設けられる別の磁気シールド面を構成する磁気シールド材には、間仕切壁の遮音性付与に用いる鋼板が利用されていることを特徴とする磁気シールド構造。
【発明の詳細な説明】
【技術分野】
【０００１】
本発明は、磁気シールド構造に関し、特に、送電線近傍に位置する建物内への浸入磁場の低減を図る磁気シールド建物等の施工に際して有効に適用することができる具体的な技術である。
【背景技術】
【０００２】
送電線の周辺には、５０Ｈｚあるいは６０Ｈｚといった商用周波数の交流磁場（以下、送電線磁場）が存在しており、近傍の建物においては人体や機器への影響が懸念されている。
【０００３】
このうち、人体に対する影響の有無はまだ明らかとなっていないが、機器に関しては電子ビーム応用機器などで障害が生じる。例えば、住宅内部に設置される機器では、テレビやパソコン用ＣＲＴディスプレイに画像揺れ障害が生じる。閾値は、画面サイズ、方式、解像度などによって異なるが、厳しいものでは波高値で０．７μＴ（マイクロテスラ；７ｍＧ）、緩いものでは波高値で４．２μＴ（４２ｍＧ）である。一般的には、１μＴ（１０ｍＧ）〜２μＴ（２０ｍＧ）とされている。尚１μＴは、１０ｍＧに相当する。
【０００４】
また、本明細書では、上記の如く、テレビジョンを略してテレビ、パーソナルコンピュータを略してパソコンと呼ぶこととする。
【０００５】
図９には、電圧６６,０００Ｖ、４回線からなる送電線を対象として、周辺の磁場分布を数値シミュレーションで求めたものを示す。図中、送電線１は、紙面に垂直方向に通るものとして示し、集合住宅２は、地表面３に対して平行な線分、垂直な線分で模式的にその断面を示した。
【０００６】
送電線１の周囲には、送電線１に流れる電流により送電線方向と直交方向に送電線磁場が発生する。正確には、送電線１の方向に沿った磁場も考えられるが、送電線１に対する直交磁場に比べて僅かなものであり、一般的には、送電線磁場の周囲環境に及ぼす影響を考える際には、かかる送電線１の方向の磁場を無視した単純化モデルで考えることができる。単純化モデルで考えると、送電線磁場は、磁場の強さは変化するが、その方向は変化しないものとして把握することができる。従来からもこの単純化モデルで送電線磁場の周囲環境への影響が考察されている。
【０００７】
かかる単純化モデルで、図９における送電線磁場の集合住宅２内部への浸入磁場の影響を磁場分布として見ると、集合住宅２の内部空間では、テレビなどの画像揺れ障害の一般的な閾値である１μＴ（１０ｍＧ）以上の領域が半分以上占めていることがわかる。閾値を２μＴ（２０ｍＧ）〜４．２μＴ（４２ｍＧ）としても、集合住宅２の上層側ではかなりの領域を占めている。
【０００８】
因みに、送電線１近傍における建築に関しては、電気設備技術基準に基づく設置安全基準に基づき、送電線１からの離隔距離が定められている。図９に示すような６６,０００Ｖの高圧送電線の場合には、離隔距離は約３．６ｍである。
【０００９】
かかる離隔距離を満たしていれば、送電線１に近接して集合住宅などの住宅建設が認められる。図９に示す場合は、上記基準を満たすべく、集合住宅２が送電線１から６ｍの離隔距離をとって設けられた場合を想定しており、現実に見かける送電線近傍の建物状況を反映している。
【００１０】
上記送電線磁場によるテレビやパソコン用ＣＲＴディスプレイの画像揺れ障害に対する従来の対策技術としては、以下のようなものがある。
【００１１】
まず、簡易なものでは、テレビやパソコン用ＣＲＴディスプレイを磁気シールドボックスで覆う方法がある。これは、正面部が開放された直方体形状をしており、磁気シールド材でテレビなどを筒状に４面ないし５面で囲む構成とされている。
【００１２】
また、磁気シールド対象の機器が大きいとか、あるいは複数台設置されているなどのため、広い範囲を磁気シールドする必要がある場合は、所要の部屋全体を磁気シールドルームにする場合もある。この場合、部屋を囲む天井、床、壁の6面を磁気シールド材で覆うことになる。
【００１３】
また、集合住宅のように開口部がたくさんあり、壁面に十分なシールド面を設けることができない場合は、磁気シールド効果は劣るが屋根面のみを磁気シールド材で覆い、外部からの磁場の浸入を防ぐ工法も採用されている。
【００１４】
上記いずれの方法でも、磁気シールド材には、パーマロイ、アモルファス、珪素鋼板、純鉄などの高透磁率を有する材料が使われている。
【００１５】
送電線磁場を想定した磁気シールド技術としては、上記のように種々の方法が提案されてはいるが、かかるシールド技術には、それぞれに以下のような問題点が指摘されていた。
【００１６】
すなわち、磁気シールドボックスで機器単体を個別に覆う方法は、簡易かつ即効的な方法ではあるが、機器の操作性を損なうとともに見栄えが良くない。特に、市販の大型テレビ用磁気シールドボックスは、機能的側面にポイントを置いた形状であるため、居住環境に十分な配慮が求められる住宅の室内空間などでは、デザイン面でそぐわないことが多い。勿論、デザインを重視したものを特注で製作することもできるが、テレビ本体の数倍のコストがかかり現実的な対応ではない。さらには、テレビを買い換える毎に、新たな磁気シールドボックスを購入する必要もあり、買い換え需要の多い家電製品への磁気シールド対策としては簡単に採用できるものではない。
【００１７】
一方、磁気シールドルームは、磁気シールドを破る虞のある窓などの開口部がない閉ざされた閉塞的な空間となることが多く、採光面・換気面で不利である。磁気シールド性能を十分に確保するという観点からは、このように被磁気シールド空間のほぼ全周を磁気シールド面で囲うようにし、磁気シールド面には磁気シールドが破られ易い開口部を極力少なくするようにするのが理想的ではあるが、かかる閉塞環境が中の人間に与える心理的悪影響が懸念される。
【００１８】
しかし、一般の家庭で求められる磁気シールド性は、実験施設などとは異なり、平均的には、日常的に発生するテレビ画面の揺れ障害などが解消される程度の磁気シールド性能で足りる場合が殆どであり、かかる磁気シールドルームの構成の殆どは、求められる磁気シールド性からすれば過剰構成となり易い。また、磁気シールドルームの開口部などに設ける磁気シールド扉も、磁気シールド性を高度に求める場合には、磁気の浸入を防ぐ特殊な機構を用いて開閉できるように構成しなければならず、日常的に出入りするという感覚からは、極めて出入りが大変となる。
【００１９】
このように、これまでの磁気シールドルームは研究所などに設置される特殊な空間としての趣が強く、実際にも施工需要の多くは研究施設関係であり、当然に施工コストも高かった。そのため、一般住宅建物への普及性という観点からは、低価格で簡単施工ができるというレベルには未だ達していない。
【００２０】
その他の磁気シールド対策としては、前述の如く、屋根面のみを磁気シールド材で覆う工法が知られている。しかし、かかる工法は、屋根面の面積が大きく、かつ幅、奥行きとも所定の長さ以上あれば多少効果は得られるが、外壁に面する部分での磁気シールド性は殆ど期待できない。逆に屋根面に設けた磁気シールド材端部に磁極ができ、建物内への浸入磁場が大きくなることもある。
【００２１】
さらに、屋根面積が大きくなると、当然に磁気シールドの施工コストも高くなる。しかし、コスト増の割りには上記の如く磁気シールド効果はそれ程期待できない。屋根面の面積が小さい場合には、その分、施工コストは低減するものの、屋根面側からの浸入磁場よりも建物側面からの浸入磁場の影響が相対的に増し、一般的にはその効果は殆ど期待できない。
【００２２】
そこで、本発明者は、建物内の所要空間の上下平面に、強磁性材料あるいは導電性材料からなる磁気シールド層をサンドイッチ状に配した構成の磁気シールド構造を提案した（特許文献１参照）。かかる特許文献１では、外周からの磁場の浸入は避けられないものの、建物内の比較的広い領域で概ね浸入磁場の低減を図ることができる。そのため、工場等のように床面積が大きく、磁場の影響を受ける機器を部屋内に置くような建物でより有効に適用することができる。
【００２３】
さらに、本発明者は、送電線からの浸入磁場の影響を１／１０〜２／１０程に大きく低減させる磁気シールド構造も提案した（特許文献２参照）。かかる特許文献２では、送電線に平行な面を方向性珪素鋼板の圧延方向が送電線と直交して閉回路を描くように、磁気シールド面を断面ロの字型となるように構成するものである。開放面近傍を除く広い領域で、上記の如く１／１０〜２／１０程度にまで磁気低減効果を有する構造で、スペースの有効活用で磁場の影響を受ける機器類でも、磁場の浸入する領域に広く配置せざるを得ない事態が十分に想定される事務所等のような建物により有効に適用できる構成である。
【００２４】
一方、特許文献２程の大きな磁気低減効果は必要ないが、居住性の確保を目的として窓等の開口部を十分に確保できる磁気シールド構造も提案した（特許文献３参照）。特許文献３に提案の磁気シールド構造では、磁気シールド面を断面略コの字型に構成することで、被磁気シールド空間の４面の全周を磁気シールド面で囲う特許文献２記載の提案構造とは異なり、１面を完全に開放することができる構成である。特許文献２に提案の磁気シールド構造程の磁気低減効果は得られないものの、送電線近傍の建物内で発生するテレビやパソコン用ＣＲＴディスプレイの画像揺れ障害は十分に防ぐことができるもので、バルコニー等の開口面の多い集合住宅等により有効に適用することができる構成である。
【００２５】
さらに、特許文献３に提案の磁気シールド構造を実際に適用する際の寸法基準等に考慮を払った設計方法の提案も行った（特許文献４参照）。本発明者が関与した上記種々の提案の磁気シールド構造も、求められる条件、性能等に応じて適宜選択採用されることとなるが、適用に際しては、対象空間における磁場の強さ、方向等の性状に基づき、求められる磁場環境としての閾値から磁気シールド効果を決定し、磁気シールド設計を行うこととなる。磁気シールド設計においては、最適な形状の設定が性能やコストを決める上で大きな鍵となるが、特許文献４において、かかる最適な形状設定に有効な設計方法を提案した。
【特許文献１】特開平０８−３０７０８６号公報
【特許文献２】特開平０９−１７２２９０号公報
【特許文献３】特開２００３−２５８４７８号公報
【特許文献４】特開２００３−３０９３９３号公報
【発明の開示】
【発明が解決しようとする課題】
【００２６】
上述の如く、本発明者は長年にわたり磁気シールドに関しての研究を行い、送電線からの浸入磁場を有効に低減することができる磁気シールド構造技術を種々提案してきた。かかる提案技術は、実験等において新たに見出された種々の知見に基づき、磁気シールド構造の基本的構成等を提案する極めて重要な技術であった。
【００２７】
本発明者は、次のステップとして、視点を実際の建築現場に据えることで、これまで提案してきた磁気シールド構造に適った構成を、如何に現場施工という観点から、施工手順、施工コスト等を十分に考慮した実際的な技術として咀嚼させることができるかが、重要と考えた。
【００２８】
これまで提案してきた磁気シールド構造も、実際に使用されて、種々の磁気シールド効果が求められる場面で有効適用されてこそ意味がある。
【００２９】
本発明の目的は、実際の建物構造と関連させた磁気シールド構造を提供することにある。
【００３０】
本発明の前記ならびにその他の目的と新規な特徴は、本明細書の記述および添付図面から明らかになるであろう。
【課題を解決するための手段】
【００３１】
本願において開示される発明のうち、代表的なものの概要を簡単に説明すれば、次のとおりである。
【００３２】
本発明は、面が相対する複数の磁気シールド面を構成する磁気シールド材と、前記複数の磁気シールド面に交差方向に設けられる別の磁気シールド面を構成する磁気シールド材とが磁気的に接合され、送電線から建物内へ浸入する磁場を低減する磁気シールド構造であって、互いに磁気的に独立した前記磁気シールド材は、接合される磁気シールド材の磁気シールド性能以上の磁気シールド性能を有する磁気シールド接合部材を介して磁気的に接合されていることを特徴とする。かかる構成において、前記磁気シールド材には、磁気シールド対象空間を含む建物の建築に際して用いられた磁気シールド性を有する鋼材等の磁性体建材が利用されていることを特徴とする。
【００３３】
かかる構成において、前記磁性体建材は、前記建物の建築に際して用いられ、その後撤去されずに残された鋼製捨て型枠等の仮設材であることを特徴とする。あるいは、前記磁性体建材は、デッキプレート等の床スラブを構成する構造材であることを特徴とする。
【００３４】
また、面が相対する複数の磁気シールド面を構成する磁気シールド材と、前記複数の磁気シールド面に交差方向に設けられる別の磁気シールド面を構成する磁気シールド材とが磁気的に接合され、送電線から建物内へ浸入する磁場を低減する磁気シールド構造で、互いに磁気的に独立した前記磁気シールド材は、接合される磁気シールド材の磁気シールド性能以上の磁気シールド性能を有する磁気シールド接合部材を介して磁気的に接合されている構成において、面が相対する複数の磁気シールド面を構成する磁気シールド材として、床スラブの構築に際して用いられたデッキプレートあるいは鋼製捨て型枠の少なくともいずれかが使用され、前記複数の磁気シールド面に交差方向に設けられる別の磁気シールド面を構成する磁気シールド材は、前記床スラブを貫通する前記磁気シールド接合部材を介して、前記デッキプレートあるいは鋼製捨て型枠に接合されていることを特徴とする。前記複数の磁気シールド面に交差方向に設けられる別の磁気シールド面を構成する磁気シールド材には、間仕切壁の遮音性付与に用いる鋼板が利用されていることを特徴とする。
【発明の効果】
【００３５】
本願において開示される発明のうち、代表的なものによって得られる効果を簡単に説明すれば以下のとおりである。
【００３６】
すなわち、磁気シールド構造の必須要素としての磁気シールド面を構成する磁気シールド材の接合構造を実際の建物の構造を踏まえた構造とすることで、磁気シールド構造を実際の建物に適用し易くすることができる。
【発明を実施するための最良の形態】
【００３７】
以下、本発明の実施の形態を図面に基づいて詳細に説明する。なお、実施の形態を説明するための全図において、同一の部材には原則として同一の符号を付し、その繰り返しの説明は省略する場合がある。
【００３８】
本発明は、変電所等の屋外電力施設、トランスや電源ケーブル等の屋内電気設備、送電線等の磁場発生源に基づく浸入磁場に対する磁気シールドに有効に適用できる発明である。以下の説明では、送電線近傍の建物において、送電線磁場によるテレビやパソコン用ＣＲＴディスプレイの画像揺れ等の磁気障害を防ぐために実施する磁気シールド構造を例に挙げて説明する。
【００３９】
本発明では、特に、建物の建築に際して用いられた構造材あるいは仮設材を有効に利用することが可能で、かかる構成材、仮設材を利用しない構成に比べて、施工性、施工コスト等で極めて有利な構成を有している。これまで提案されてきた磁気シールド構造では、既に天井面、床面、壁面等が基本的に形成された上で、かかる既製面上に別途、磁気シールド材を貼り付ける等することを前提としたものが一般的で、本発明は、かかる構成とは視点を全く異にするもので、建物の施工段階から、既に構造材、あるいは仮設材を磁気シールド構造に利用できるようにする構成が一つの特徴点である。
【００４０】
本発明の実施の形態の以下の説明では、図１（Ａ）に示すように、建物の開口部を大きく設けることができる磁気シールド構造を例に挙げて説明する。しかし、本発明の適用は、図１（Ａ）に示す構成の磁気シールド構造に限定する必要はなく、その他の構成の磁気シールド構造でも適用できることは言うまでもない。
【００４１】
図１（Ａ）に示す磁気シールド構造Ａは、複数の磁気シールド面１０から構成されている。かかる複数面の磁気シールド面１０が接合されて磁気回路Ｇ（図中、破線で示す）が形成されている。磁気シールド構造Ａに囲われている図中網かけの部分が磁気シールド対象空間Ｂである。
【００４２】
尚、図１（Ａ）に示す構成では、磁気シールド面１０が断面略コ字型に形成されており、閉じた構成ではないため閉回路はとはならないが、しかし、一部に閉じない部分があってもコ字型に透磁性方向が繋がって、磁気が流れるルートが形成されていることから、かかるルートを磁気回路Ｇと呼ぶことにする。磁気回路Ｇは、図中に模式的に示すもので、実際は面方向に図示不可能な程に多数形成されている。
【００４３】
かかる構成の複数の磁気シールド面１０により磁気回路を構成する磁気シールド構造Ａでは、相対する磁気シールド面１０ａ（１０）、１０ｂ（１０）が水平面に設けられている。相対させた磁気シールド面１０ａ、１０ｂに対して、垂直面に構成した磁気シールド面１０ｃ（１０）が交差方向に設けられている。かかる構成の磁気シールド構造Ａでは、垂直面を構成する磁気シールド面１０ｃが送電線１に沿う方向に設けられている。
【００４４】
図１（Ａ）に示す構成では、送電線１は磁気シールド構造Ａの非開口部側である磁気シールド面１０ｃ側に位置する場合を示しているが、開口部側に位置する場合であっても一向に構わない。
【００４５】
送電線１とのかかる位置関係を有する磁気シールド構造Ａでは、送電線１からの浸入磁場として、主に、送電線１の方向に対して直交する方向の送電線磁場を想定している。送電線１との位置関係により、図１（Ｂ）に示すように、上記送電線磁場の強さを水平成分と垂直成分に分けて、水平磁場が強い場合を卓越磁場が水平磁場であると言い、垂直成分が強い場合を卓越磁場が垂直磁場であると言う。また、送電線が４５度斜めに位置する場合は卓越磁場が斜め磁場であると言う。この場合には、水平、垂直のそれぞれの卓越磁場方向の磁場成分が同一である特殊な場合とも言える。
【００４６】
このように磁気シールド構造Ａに対しては、種々の方向における卓越磁場が想定されるが、送電線１の位置は、垂直面を構成する磁気シールド面１０ｃに沿っていることが必要である。また、磁気シールド構造Ａに構成される磁気回路Ｇは、図１（Ｂ）に示すように、磁気シールド面１０を構成する磁気シールド材における透磁性方向を図に示すように揃えることで最適に構成される。
【００４７】
尚、磁気シールド面１０ｃが送電線１に沿っているとは、両者の交差角θが０度（平行な場合）以上、２６度以下の範囲を言うものとする。理想的には、交差角０度の平行な場合である。しかし、立地条件によっては、垂直面に相当する磁気シールド面１０ｃを送電線１に沿う方向に建物の設置条件を選定できるとは限らない。そこで、かかる場合でも有効に送電線方向に直交する送電線磁場に基づく建物内のテレビやパソコン用ＣＲＴディスプレイの画像揺れ等の磁気障害が防止できる範囲として、交差角θが０度以上、２６度以下の範囲が許容可能である。
【００４８】
上記説明の図１（Ａ）に示す磁気シールド構造Ａを実際の建物に適用する場合には、図２（Ａ）に模式的に示すように、複数階に構成した建物１００内の複数の部屋ａ、ｂの一部を磁気シールドする場合が想定される。あるいは、図２（Ｂ）に模式的に示すように、建物１００の全体を磁気シールドする場合でも構わない。あるいは、図３（Ａ）に模式的に示すように、建物１００内を複数階ずつまとめて磁気シールドする場合でも構わない。あるいは、図３（Ｂ）に模式的に示すように、建物１００内の各階毎に磁気シールドする構成でも構わない。
【００４９】
磁気シールド構造Ａを構成する磁気シールド面１０ａ、１０ｂは、建物１００の水平面を構成する部分に設定され、磁気シールド面１０ｃは建物１００の垂直面を構成する部分に設定される。すなわち、磁気シールド１０ａは天井面に設定し、磁気シールド面１０ｂは床面に、磁気シールド面１０ｃは壁面にそれぞれ設定すればよい。
【００５０】
尚、天井面と言う場合には、複数階の建物１００における上階の床スラブの下面及び上面をも含む意味であり、同様に、床面と言う場合には当該階の床スラブの上面及び下面をも含む意味である。
【００５１】
かかる磁気シールド面１０ａ、１０ｂ、１０ｃは、各々上記天井面、床面、壁面に相当する位置に、磁気シールド材を設けることで構成される。かかる磁気シールド材は、天井、床、壁を構成する構成材、あるいはかかる構成材の上に設けた下地材の上に設けられ、さらに磁気シールド材の上に仕上げ材等が設けられて、磁気シールド面１０ａ、１０ｂ、１０ｃが構成される。磁気シールド材が建物内部、あるいは外部に露出する構成は、基本的には採用されない。勿論、磁気シールド材が居住者にそれと分かるように露出させた構成であっても構わないが、露出させておくと磁気シールド材の損傷、劣化が起こり、磁気シールド性の低下を来す原因となり好ましくない。原則的には、かかる構成を採用する例は極めて少ないものと思われる。
【００５２】
かかる複数の磁気シールド面１０を磁気的に接合することで、図１に示す磁気シールド構造Ａが構成されるが、磁気シールド面１０を磁気的に接合するとは、磁気シールド面１０を構成する磁気シールド材を磁気的に接合することで形成される。
【００５３】
磁気シールド対象空間Ｂとして小さな空間を覆う場合に、一枚の板状に形成した磁気シールド材を曲げ構成することで、図１に示すような断面略コ字型の磁気シールド構造Ａを形成することができる。しかし、部屋単位、あるいは各階のフロア単位、あるいは複数階を一括して含める単位、あるいは建物単位で被磁気シールド空間を考慮する場合には、一枚の単一磁気シールド材を曲げ構成することで磁気シールド構造Ａを構成することは、現実的ではない。
【００５４】
そこで、本発明者は、複数の磁気シールド材を接合することで、磁気シールド面１０を接合する構成が現実的対応であると判断し、複数の磁気シールド材の接合構造について最適な結合構造を開発し、本発明に至った。
【００５５】
互いに磁気的に独立した磁気シールド材を接合するには、磁気シールド性能を有する磁性体から形成された磁気シールド接合部材を使用するのが最適である。磁気シールド性能を有しない物質を用いて、互いに磁気的に独立した磁気シールド材を接合しても、接合される磁気シールド材による磁気回路Ｇが構成されず、前述の如く、磁気回路Ｇを構成する図１に示す磁気シールド構造Ａによる磁気シールド効果は得られない。
【００５６】
また、かかる構成の磁気シールド接合部材２０としては、図４（Ａ）に示すように、その形状は、例えば、断面Ｌ字型のアングル２０ａに構成しておけばよい。アングル２０ａは、一枚の板状の磁性体を所定角度に曲げることで形成することができる。所定角度で互いに開いたフランジ２１、２２を、磁気シールド材３０にそれぞれ接面させて接合することとなる。接合に際しては、フランジ２１、２２を磁気シールド材３０に接合させた状態で、溶接、ビス止め、接着剤、両面テープ等の接面固定手段で接合すればよい。
【００５７】
例えば、図４（Ａ）に示すように、互いに垂直に交差する各々の磁気シールド面１０を構成する磁気シールド材３０同士を、各々の磁気シールド面１０同士の交差角を維持した状態で磁気的に接合することができる。アングル２０ａは、透磁性等の磁気シールド性能が、接合する磁気シールド材３０と同等以上であることが必要である。
【００５８】
本発明が前提とする磁気シールド構造Ａは、前述の如く、複数の磁気シールド面１０を用いて略コの字型の構成としているが、かかる構成において、各々の磁気シールド面１０を構成する磁気シールド材３０の透磁性方向が連続できるように繋げられて、磁気回路Ｇを構成することが大前提である。そこで、磁気シールド性が確保できるように磁気的に接合するだけでは不十分で、互いに磁気的に独立した磁気シールド面１０を構成する磁気シールド材３０の透磁性を接合部分で減衰させないことが求められる。接合部分で透磁性を減衰させたのでは、略コ字型の磁気回路を構成した効果は十分に得られない。
【００５９】
尚、上記説明では、アングル２０ａは、一枚の板状の磁性体を曲げ構成する場合を説明したが、フランジ２１、２２を二枚の板状の磁性体を溶接により断面Ｌ字型に接合して形成しても構わない。さらには、図４（Ｂ）に示す形状に構成しても構わない。図４（Ｂ）に示す形状であれば、磁気シールド材３０が３面互いに垂直に接合する隅部分で用いることができる。
【００６０】
アングル２０ａ等に構成した磁気シールド接合部材２０による磁気的接合を行うに際しては、連続する隙間が発生しないようにすることが好ましい。特に、透磁性方向と直交する方向に連続する隙間が発生する場合は、かかる隙間が大きな磁気抵抗となり、大きな磁気の浸入を許すこととなり避けるべきである。一方、透磁性方向に連続する隙間は、余り大きな影響を及ぼさないため、多少の隙間が発生しても構わない。
【００６１】
また、図４（Ａ）、（Ｂ）に示す場合は、磁気シールド接合部材２０を、接合する磁気シールド材３０とは別途独立したものとして構成した場合を示したが、磁気シールド材３０の接合端側を、例えばＬ字型に曲げる等して、磁気シールド接合部材２０を磁気シールド材３０に一体成形するようにしても構わない。
【００６２】
図５は、天井側、壁面側、床側に設けた磁気シールド材３０を、図４（Ａ）に示す構成のアングル２０ａで、磁気的に接合した構成を示している。すなわち、天井側には、上階床スラブ４０の下面に下地材４１を設け、かかる下地材４１上に磁気シールド材３０ａが設けられて、磁気シールド面１０ａが形成されている。床面側にも、下床スラブ５０の上面に下地材５１が設けられ、かかる下地材５１上に磁気シールド材３０ｂが設けられて、磁気シールド面１０ｂが形成されている。壁面側には、間仕切壁６０の壁面上に下地材６１を設け、かかる下地材６１上に磁気シールド材３０ｃが設けられて、磁気シールド面１０ｃが形成されている。
【００６３】
また、互いに接合された磁気シールド材３０の上には、さらに仕上げ材７０が適宜厚さに設けられ、室内居住者側からは磁気シールド材３０が露出しないように、通常の部屋の内装状態に仕上げられている。
【００６４】
このように、天井側、壁面側の磁気シールド材３０ａ、３０ｃ同士、壁面側、床側の磁気シールド材３０ｃ、３０ｂ同士が、磁気シールド接合部材２０により磁気的に接合されて、磁気シールド面１０ａ、１０ｂ、１０ｃが略コの字型に接合した磁気シールド構造Ａが形成されることとなる。かかる磁気的接合を用いることにより形成される磁気シールド構造Ａでは、図１（Ａ）に示す矢印の如く、磁気回路Ｇが形成されることとなる。
【００６５】
図５に示す構成は、天井側、壁面側、床側が既に構築された上で、別途それぞれの側に磁気的に独立した磁気シールド材３０を設け、かかる磁気シールド材３０を磁気的に接合した構成について説明したが、磁気シールド材３０としては、建物の構造材を利用することもできる。建物の構造材を積極的に利用すれば、建物の構造材とは別に磁気シールド材３０を設ける場合に比べて格段に施工材のコスト低減を図ることができる。
【００６６】
図６は、間仕切壁６０としての遮音壁６０ａの構造材として設けた鋼板６２を磁気シールド材３０ｃとして利用する場合について示した。天井側、床側の磁気シールド材３０ａ、３０ｂは、図５に示すと同様にして形成されている。構造材としての鋼板６２は床面側から天井面側まで一杯に設けられ、かかる鋼板６２と、磁気シールド材３０ａ、３０ｂがアングル２０ａで磁気的に接合させられている。
【００６７】
図６では、構造材を磁気シールド材３０として利用する場合について、建物の間仕切壁６０の構造材としての鋼板６２を利用する場合を例示して示したが、図７では下床スラブ５０側の構造材を磁気シールド材３０として利用する構成について示す。
【００６８】
図７に示すように、下床スラブ５０側には、その構造材としてデッキプレート５２が設けられている。かかるデッキプレート５２上にはＬ字型に構成したアングル２３が磁気シールド接合部材２０として設けられている。アングル２３の一方のフランジ２１側は、図７に示すように、床スラブコンクリート５３の上に突出して、壁面側の磁気シールド材３０ｃと磁気的接合が可能な程度に長く設定されている。
【００６９】
また、床スラブコンクリート５３は、図７に示すように、アングル２３により分断されるため、床スラブコンクリート５３を一体化するためアングル２３の床スラブコンクリート５３を貫通するフランジ２１の両側にボルト５４が溶接されている。この状態で、場所打ちコンクリートを打設して床スラブコンクリート５３が構成されている。
【００７０】
床スラブコンクリート５３の上に突出したアングル２３のフランジ２１の裏面側を、例えば、軽量鉄骨下地６３上に下地材６４を介して設けた磁気シールド材３０ｃと接面させた状態で接合すれば、デッキプレート５２と垂直面となる磁気シールド面１０ｃを構成する磁気シールド材３０ｃとが磁気的に接合されることとなる。
【００７１】
尚、図７では、床スラブコンクリート５３の一体化のためにアングル２３のフランジ２１の両面にボルト５４を溶接して設けたが、かかるフランジ２１に所定間隔で孔を開けておき、かかる孔にスラブ鉄筋を通す構成でも構わない。
【００７２】
図８では、床スラブコンクリート５３の打設に際して使用した鋼製捨て型枠５５を利用している場合を示す。鋼製捨て型枠５５の面上に、図８に示すように、フランジ２２を溶接等で固定することによりアングル２３が設けられている。フランジ２１は、鋼製捨て型枠５５内にコンクリートを所定厚に打設した際に、床スラブコンクリート５３上に突出する長さに形成されている。フランジ２１の裏面を、軽量鉄骨下地６３上に下地材６４を介して設けた磁気シールド材３０ｃと接面させた状態で接合することで、鋼製捨て型枠５５と、垂直面となる磁気シールド面１０ｃを構成する磁気シールド材３０ｃとが磁気的に接合されることとなる。
【００７３】
尚、鋼製捨て型枠５５としては、コンクリートの打設に際して一般の型枠材として用いられる程度の剛性を備えていればよく、板厚は１〜３ｍｍ程度でよい。
【００７４】
また、アングル２３には、図７と同様に、アングル２３で分断される床スラブコンクリート５３の一体化の目的でボルト５４を溶接等で設けておけばよい。
【００７５】
このように本発明では、鋼製捨て型枠５５等の建物の建築に際して使用され、その後残存される仮設材を磁気シールド材として利用することで、別途磁気シールド材を床面側に設ける場合に比べて、格段に施工コスト、資材コストの低コスト化を図ることができる。さらには、床スラブコンクリート施工後に別途磁気シールド材を設ける場合に比べて、施工の手間をも簡略化することができる。
【００７６】
仮設材としては、床スラブ側に設けた鋼製捨て型枠５５以外にも、梁、壁側に使用した鋼製捨て型枠を使用してもよい。
【００７７】
以上の説明では、磁気シールド接合部材２０として所定角度に当初から設定されたアングル２０ａ、２３等を使用する場合について説明したが、広い磁気シールド面を構成する場合には、複数面の磁気シールド材３０を連接する必要がある。かかる場合の磁気シールド材３０同士の接合に際しては、磁束の流れ方向に連続する隙間を多少発生させても構わないが、磁束の流れ方向と直交する方向に連続する隙間を発生させないように接合する。
【００７８】
かかる接合に際しては、例えば、隣接する磁気シールド材同士のラップ（重ね）をとったり、あるいは帯板を貼る等の方法がある。ラップ代、帯板の幅等は、対象空間における磁場の強さ、方向等の性状と、求める磁気シールド性能の閾値とにより、適宜調節すればよい。
【００７９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８０】
上記説明では、断面コ字型の磁気シールド構造を例に挙げて説明したが、かかる形状に限定する必要はない。断面ロ字型等のように複数の磁気シールド材を磁気回路が形成されるように磁気的に接合してなる磁気シールド構造であれば、どのような形の構成でも適用することができる。
【００８１】
上記説明では、複数階の建物における磁気シールド構造を例に挙げて説明したが、複数階の建物としての集合住宅ばかりでなく、戸建住宅、単層住宅等に適用することができる。また、住宅以外にも、病院、事務所等を対象とした建物に有効に適用できることは言うまでもない。
【００８２】
上記説明では、磁場の発生源として送電線磁場を想定した場合を例に挙げて説明したが、変電所等の屋外電力施設、トランスや電源ケーブル等の屋内電気設備の周辺の磁気シールドを目的としたものであっても構わない。また磁場は交流磁場であっても直流磁場であっても構わない。
【産業上の利用可能性】
【００８３】
本発明は、建物等の磁気シールド分野で利用することができる。
【図面の簡単な説明】
【００８４】
【図１】（Ａ）は本発明で使用する磁気シールド構造を模式的に示す斜視図であり、（Ｂ）は（Ａ）に示す磁気シールド構造における磁気環境を模式的に示す斜視図である。
【図２】（Ａ）、（Ｂ）は、本発明に係る磁気シールド構造を建物に適用する構成を模式的に示す説明図である。
【図３】（Ａ）、（Ｂ）は、本発明に係る磁気シールド構造を建物に適用する構成を模式的に示す説明図である。
【図４】（Ａ）は磁気シールド接合部材を用いた接合構造を模式的に示す部分断面図であり、（Ｂ）は磁気シールド接合部材の変形例を示す部分斜視図である。
【図５】図４（Ａ）に示す磁気シールド接合部材を建物の内部空間の磁気シールド材の接合に用いる状況を模式的に示す断面説明図である。
【図６】壁面の構造材を磁気シールド材に利用する構成を模式的に示す断面説明図である。
【図７】床スラブの構造材を磁気シールド材に利用する構成を模式的に示す断面説明図である。
【図８】床スラブの仮設材として捨て型枠を磁気シールド材に利用する構成を模式的に示す断面説明図である。
【図９】送電線近傍の建物内への浸入磁場の磁場分布を示す説明図である。
【符号の説明】
【００８５】
１        送電線
２        集合住宅
３        地表面
１０      磁気シールド面
１０ａ    磁気シールド面
１０ｂ    磁気シールド面
１０ｃ    磁気シールド面
２０      磁気シールド接合部材
２０ａ    アングル
２１      フランジ
２２      フランジ
２３      アングル
３０      磁気シールド材
３０ａ    磁気シールド材
３０ｂ    磁気シールド材
３０ｃ    磁気シールド材
４０      上階床スラブ
４１      下地材
５０      下床スラブ
５１      下地材
５２      デッキプレート
５３      床スラブコンクリート
５４      ボルト
５５      鋼製捨て型枠
６０      間仕切壁
６０ａ    遮音壁
６１      下地材
６２      鋼板
６３      軽量鉄骨下地
６４      下地材
７０      仕上げ材
１００    建物
Ａ        磁気シールド構造
Ｂ        磁気シールド対象空間
ａ        部屋
ｂ        部屋
Ｇ        磁気回路
【図１】
2008223481.tif 000003
【図２】
2008223481.tif 000004
【図３】
2008223481.tif 000005
【図４】
2008223481.tif 000006
【図５】
2008223481.tif 000007
【図６】
2008223481.tif 000008
【図７】
2008223481.tif 000009
【図８】
2008223481.tif 000010
【図９】
2008223481.tif 000011